(57)【要約】【課題】本発明は、蹴り返し時に第１指側にかかる荷重を積極的に第５指側にかかるようにすることにより、蹴り返し時に第１指側に過大な荷重がかかるのを防止し、膝関節症や外反母趾などの症状を予防および緩和できる履物を提供することを目的とするものである。【解決手段】本発明の履物は、履物の底の、少なくとも第１指の中足骨頭部から指先までを受ける部分が、少なくとも第５指の中足骨頭部を受ける部分より軟質材料で形成されていて、踵側の基準点と第５指の中足骨頭部を受ける部分とを結ぶ線分ａと、踵側の基準点と第１指の中足骨頭部とを通る直線上にある軟質材料形成部の踵側端部と踵側の基準点とを結ぶ線分ｂとが、ａ＞ｂの関係を有しているものである。【選択図】  図３
2005000347.tif 000002
【特許請求の範囲】
【請求項１】
履物の底の、少なくとも第１指の中足骨頭部から指先までを受ける部分が、少なくとも第５指の中足骨頭部を受ける部分より軟質材料で形成されていて、
踵側の基準点と第５指の中足骨頭部を受ける部分とを結ぶ線分ａと、
踵側の基準点と第１指の中足骨頭部とを通る直線上にある軟質材料形成部の踵側端部と踵側の基準点とを結ぶ線分ｂとが、
ａ＞ｂの関係を有している履物。
【発明の詳細な説明】
【０００１】
【発明の属する技術分野】
本発明は、例えば、膝関節症や外反母趾などの下肢疾患の治療および予防に用いる履物に関するものである。
【０００２】
【従来の技術】
人間は、起立時においては、図３に示すように、踵部Ａ、第１指中足骨頭部Ｂ、第５指中足骨頭部Ｃの３つの立脚点により体重を支えている。そして、歩行時においては、足部にかかる荷重は、着地時に踵部Ａ、続いて第５指の中足骨頭部Ｃと第１指の中足骨頭部Ｂに、ほぼ同時に移動する。そして、最後は、第１指の中足骨頭部Ｂに荷重が集中した状態で蹴り返しが行われる。なお、蹴り返しが第１指の中足骨頭部Ｂにおいて行われるのは、踵骨Ａ１と第５指の中足骨頭Ｃ１との距離よりも、踵骨Ａ１と第１指の中足骨頭Ｂ１との距離の方が長いため、蹴り返し時に、第１指の中足骨頭部Ｂが最後まで地面に接地しているからである。
【０００３】
ところが、骨格のゆがみなどにより、蹴り返し荷重が過度に足部にかかり続けると、外反母趾や偏平足などの下肢疾患を引き起こす上、その症状が悪化する原因にもなってしまう。そして、これらの下肢疾患による症状がひどくなると、歩行が困難になるなど重大な問題を引き起こすにもかかわらず、これらの下肢疾患に対して、効果的に予防したり緩和したりする手立てがなされていないのが現状である。
【０００４】
【発明が解決しようとする課題】
そこで、本願発明者は、膝関節症や外反母趾などの症状を極めて効果的に予防および緩和するために、次のような理論を打ち立てた。すなわち、まず、歩行時における荷重の移動方向に着目し、着地時に荷重のかかる場所と蹴り返し時に荷重のかかる場所とを結ぶ線を荷重線と定義した。そして、図７に示すように、踵骨Ａ１と第５指の中足骨頭Ｃ１とを結ぶ線を荷重線Ｋとし、踵骨Ａ１と第１指の中足骨頭Ｂ１とを結ぶ線を荷重線Ｌとした場合に、通常ならば最終的に荷重線Ｌを移動する荷重が荷重線Ｋを移動するように、蹴り返し荷重のかかる荷重線を変更させるべきであると考えたのである。
【０００５】
本発明は、上記の理論に基づき、蹴り返し時に第１指側にかかる荷重を積極的に第５指側にかかるようにすることにより、第１指側に過大な荷重がかかるのを防止し、膝関節症や外反母趾などの症状を予防および緩和できる履物を提供することを目的とするものである。
【０００６】
【課題を解決するための手段】
以上の目的を達成するために、請求項１記載の発明の履物は、
履物の底の、少なくとも第１指の中足骨頭部から指先までを受ける部分が、少なくとも第５指の中足骨頭部を受ける部分より軟質材料で形成されていて、
踵側の基準点と第５指の中足骨頭部を受ける部分とを結ぶ線分ａと、
踵側の基準点と第１指の中足骨頭部とを通る直線上にある軟質材料形成部の踵側端部と踵側の基準点とを結ぶ線分ｂとが、
ａ＞ｂの関係を有していることを特徴としている。
【０００７】
なお、踵側の基準点とは、履物の底において踵部を受ける部分の中心点のことをいうものとする。
【０００８】
【発明の実施の形態】
以下に、本発明にかかる履物の実施形態について詳細に説明する。
【０００９】
本実施形態の履物１は、図１、図２に示すように、底部２と、底部２の上部に一体に設けられる甲被部３とを備えており、底部２は、足型形状の底板部４と、底板部４の上面に敷設される中敷部５と、底板部４の下面全体に一体に設けられるクッション部６と、クッション部６の下面に被着される接地部７とを有している。
【００１０】
クッション部６は、硬さの異なるポリウレタン樹脂製の発泡材から構成されており、図２から図４に示すように、第１指側から、荷重を十分に吸収可能な柔軟性を有する第１クッション部６０１、第１クッション部６０１よりもやや硬めであるが、荷重を適度に吸収可能な柔軟性を有する第２クッション部６０２、歩行時の荷重を受け止めるとともに地面を蹴り返すのに十分な硬さを有する第３クッション部６０３が配置されている。
【００１１】
第１クッション部６０１は、幅方向には、第１指の中足骨頭部Ｂおよび第２指の中足骨頭部Ｄを受け止め、前後方向には、第１指および第２指の指先部分と土踏まずＧとを受け止める形状に形成されている。また、第２クッション部６０２は、幅方向には、第３指の中足骨頭部Ｆを受け止め、前後方向には、第３指の指先部分と土踏まずＧとを受け止める形状に形成されている。そして、第１クッション部６０１および第２クッション部６０２の踵側端部６０４は、図２に示すように、土踏まずＧの最も窪んだ部分よりも踵側に配置されており、踵側の基準点ｐと第１指の中足骨頭部Ｂを受ける部分の中心点ｑとを通る直線Ｎ上における第１クッション部６０１および第２クッション部６０２の踵側端部６０４との交点ｓと踵側の基準点ｐとを結ぶ線分ｂが、踵側の基準点ｐと第５指の中足骨頭部Ｃを受ける部分の中心点ｒとを結ぶ線分ａよりも短くなっている。
【００１２】
第３クッション部６０３は、幅方向には、第４指の中足骨頭部Ｆおよび第５指の中足骨頭部Ｃを受け止め、前後方向には、第４指および第５指の指先部分から足部の外側部位および踵部Ａ全体を受け止める略Ｌ字形状に形成されている。
【００１３】
本実施の形態の履物１によれば、まず、着地時から蹴り返し直前までの間、踵部Ａから足部の外側部分は、第３クッション部６０３で受け止められる。そして、蹴り返し時には、本来であれば、第５指の中足骨頭部Ｃ側から第１指の中足骨頭部Ｂ側へ自然に荷重が移動するのであるが、上述したように、第３指から第１指は、指先部分から土踏まずＧを含む部分までの範囲が、柔軟性を有する第１クッション部６０１および第２クッション部６０２で受け止められており、荷重が土踏まずＧにかかった時点で、荷重はクッション部６０１，６０２に吸収されているので、地面には蹴り返し荷重がほとんど伝わらない。
【００１４】
一方、第４指および第５指は、蹴り返し荷重を十分に地面に伝えることができる第３クッション部６０３で受け止められているので、蹴り返し荷重は、第３クッション部６０３にかかり、最終的な蹴り返しは、第４指の中足骨頭部Ｆおよび第５指の中足骨頭部Ｃで行われる。
【００１５】
以上詳述したように、本実施の形態の履物１によれば、蹴り返し時における第１指から第３指までの中足骨頭部Ｂ，Ｄ，Ｅの負担が軽減されるだけでなく、本来蹴り返し時に第１指側にかかる荷重を逃がして、蹴り返し荷重を積極的に第５指側に変更し、第１指側の中足骨頭部Ｂに過大な荷重がかかるのを防止するので、膝関節症や外反母趾などの症状の予防および緩和を図ることができる。
【００１６】
また、第１クッション部６０１および第２クッション部６０２の踵側端部６０４が、土踏まずＧの最も窪んだ部分よりも踵側に配置されているので、土踏まずＧに荷重がかかり始めた時点から荷重を逃がすことができる。したがって、土踏まずＧにかかる負担を効果的に軽減できるので、特に、偏平足の患者の負担を軽減することができる。
【００１７】
なお、各クッション部６０１，６０２，６０３の形状は、本実施の形態の形状に限られず、患者の症状に応じて適宜変更すればよい。そうすれば、症状の改善により効果的であるし、さらに、左右の足の症状がそれぞれ異なる場合等にも好適である。例えば、図５に示すように、第２クッション部６０２を、土踏まずＧ側においては幅広で指先に向かって先細となるように形成して、土踏まずＧを第２クッション部６０２で、第１指から第３指までの各中足骨頭部Ｂ，Ｄ，Ｅを第１クッション部６０１で受け止めるようにしてもよい。このようにすれば、第３指の中足骨頭部Ｅにかかる荷重が第１クッション部６０１に吸収されるため、第３指の中足骨頭部Ｅにかかる負担をより軽減できる。したがって、第３指の中足骨頭部Ｅにも症状がある患者にはさらに好適なものとなる。また、土踏まずＧが第２クッション部６０２で受け止められるので、第１クッション部６０１に荷重がかかった際の足部の沈み込みを軽減することができ、歩行時の安定性が向上する。
【００１８】
また、第１クッション部６０１および第２クッション部６０２の踵側端部６０４は、土踏まずＧの最も窪んだ部分よりも踵側であることが最適であるが、この位置に限定されるものではなく、踵側の基準点ｐと第１指の中足骨頭部Ｂを受ける部分の中心点ｑとを通る直線Ｎ上における第１クッション部６０１および第２クッション部６０２の踵側端部６０４との交点ｓと踵側の基準点ｐとを結ぶ線分ｂが、踵側の基準点ｐと第５指の中足骨頭部Ｃを受ける部分の中心点ｒとを結ぶ線分ａよりも短くなっていれば、踵側端部６０４が土踏まずＧよりも前方に位置していても構わない。
【００１９】
また、クッション部６の材質は、ポリウレタン樹脂に限られず、他の合成樹脂であってもよいし、コルクなどの木製素材であってもよい。また、発泡材に限られず、例えば各クッション部を中空状に形成し、内部に流動性物質を充填してもよい。さらに、第３クッション部６０３は、蹴り返しに十分な硬さを有していればよいので、金属で形成してもよい。
【００２０】
また、クッション部６の構成は、本実施の形態に限定されず、少なくとも第１指の中足骨頭部Ｂから指先までを受ける部分が、少なくとも第５指の中足骨頭部Ｃを受ける部分よりも軟質であればよい。したがって、例えば、硬さの異なる多数のクッション材を使用して、第５指の中足骨頭部Ｃを受ける部分から第１指の中足骨頭部Ｂを受ける部分に向かって多段階的に柔軟性が増すようにしてもよい。また、発泡効率の異なる合成樹脂を同一の型に別方向から流し込んで成型し、第５指側から第１指側に向かって無段階に柔軟性が増すようにしてもよい。このようにすれば、より自然な履き心地を得た上で第５指側への荷重の変更を図ることができる。
【００２１】
また、本実施の形態においては、クッション部６を底板部４と接地部７との間に設けたが、クッション部を設ける場所はこれに限られず、例えば、図６に示すように、クッション部６ｂを履物本体１０と別個に形成して、後から履物本体６ｂの内部に敷設して履物１ｂを構成するようにしてもよい。このようにすれば、足の症状の変化に応じて、クッション部６ｂを取り替えるだけでよいので、履物ごと新しいものに取り替える必要がない。したがって、使用者の経済的負担も少なく、ゴミの減量化にも貢献できる。
【００２２】
【発明の効果】
本発明の履物は、履物の底の、少なくとも第１指の中足骨頭部から指先までを受ける部分が、少なくとも第５指の中足骨頭部を受ける部分より軟質材料で形成されていて、踵側の基準点と第５指の中足骨頭部を受ける部分とを結ぶ線分ａと、踵側の基準点と第１指の中足骨頭部とを通る直線上にある軟質材料形成部の踵側端部と踵側の基準点とを結ぶ線分ｂとが、ａ＞ｂの関係を有しているので、蹴り返し時における第１指の中足骨頭部の負担が軽減される上、蹴り返し荷重を積極的に第５指側に変更し、第１指側の中足骨頭部に過大な荷重がかかるのを防止するので、膝関節症や外反母趾などの症状の予防および緩和を図ることができる。
【図面の簡単な説明】
【図１】本発明にかかる一実施形態の履物の外観図。
【図２】本実施形態における底部の縦断面図。
【図３】本実施形態におけるクッション部の底面図。
【図４】図３におけるＸ−Ｘ線断面図。
【図５】本発明にかかる別の実施形態の履物を示す説明図。
【図６】本発明にかかる別の実施形態の履物を示す説明図。
【図７】本発明における荷重線を示す説明図。
【符号の説明】
１，１ｂ    履物
６０１      第１クッション部（軟質材料形成部）
６０２      第２クッション部（軟質材料形成部）
６０４      踵側端部
ｐ          踵側の基準点
Ｂ          第１指の中足骨頭部
Ｃ          第５指の中足骨頭部
【図１】
2005000347.tif 000003
【図２】
2005000347.tif 000004
【図３】
2005000347.tif 000005
【図４】
2005000347.tif 000006
【図５】
2005000347.tif 000007
【図６】
2005000347.tif 000008
【図７】
2005000347.tif 000009